(57)【要約】【課題】  エレベータ乗りかご内を冷却した場合において、エレベータ乗りかごの外周面に結露が発生することを防止する。【解決手段】  エレベータ乗りかごの結露防止装置は、エレベータ乗りかご１に取付けられる乾燥空気供給部２と、エレベータ乗りかご１に取付けられて乾燥空気供給部２に接続され、乾燥空気供給部２から供給される乾燥空気がエレベータ乗りかご１の外周面に向けて噴き出すノズル１２を有するノズル体３とを備える。【選択図】    図１
2007062905.tif 000002
【特許請求の範囲】
【請求項１】
エレベータ乗りかごに取付けられる乾燥空気供給部と、
前記エレベータ乗りかごに取付けられて前記乾燥空気供給部に接続され、前記乾燥空気供給部から供給される乾燥空気が前記エレベータ乗りかごの外周面に向けて噴き出すノズルを有するノズル体と、
を備えることを特徴とするエレベータ乗りかごの結露防止装置。
【請求項２】
前記ノズル体に前記ノズルが複数設けられ、前記ノズルは個々の前記ノズルから噴き出す前記乾燥空気の噴き出し量が均一となる開口面積を有することを特徴とする請求項１記載のエレベータ乗りかごの結露防止装置。
【請求項３】
前記エレベータ乗りかごの外周面の温度を測定する温度センサと、
前記エレベータ乗りかごが昇降する昇降路内の湿度を測定する湿度センサと、
前記温度センサの測定結果と前記湿度センサの測定結果とに基づいて結露発生条件に到達したか否かを判断する手段と、
結露発生条件に到達した場合に前記乾燥空気供給部を駆動させる手段と、
を更に備えることを特徴とする請求項１又は２記載のエレベータ乗りかごの結露防止装置。
【請求項４】
前記エレベータ乗りかごの外周面の複数の領域の温度を個々に測定する複数の温度センサと、
前記エレベータ乗りかごが昇降する昇降路内の湿度を測定する湿度センサと、
前記領域ごとに前記ノズルからの前記乾燥空気の噴き出しを断続する断続部と、
前記温度センサの測定結果と前記湿度センサの測定結果とに基づいて前記領域ごとに結露発生条件に到達したか否かを判断する手段と、
いずれかの前記領域が結露発生条件に到達した場合に前記乾燥空気供給部を駆動させる手段と、
前記断続部を駆動させる手段と、
を更に備えることを特徴とする請求項１又は２記載のエレベータ乗りかごの結露防止装置。
【請求項５】
前記エレベータ乗りかごの外周面の複数の領域の温度を個々に測定する複数の温度センサと、
前記エレベータ乗りかごが昇降する昇降路内の湿度を測定する湿度センサと、
前記ノズル体を異なる２以上の前記領域に移動させる移動機構と、
前記温度センサの測定結果と前記湿度センサの測定結果とに基づいて前記領域ごとに結露発生条件に到達したか否かを判断する手段と、
いずれかの前記領域が結露発生条件に到達した場合に前記乾燥空気供給部を駆動させる手段と、
前記移動機構を駆動させて結露発生条件に到達した前記領域に前記ノズル体を移動させる手段と、
を更に備えることを特徴とする請求項１又は２記載のエレベータ乗りかごの結露防止装置。
【請求項６】
前記ノズルからの前記乾燥空気の噴き出し方向を上下方向に可変させる可変機構と、
前記ノズルからの前記乾燥空気の噴き出し方向と前記エレベータ乗りかごの昇降方向とが一致する向きに前記可変機構を駆動させる手段と、
を更に備えることを特徴とする請求項１ないし５のいずれか一記載のエレベータ乗りかごの結露防止装置。
【請求項７】
前記エレベータ乗りかごに取付けられ、前記エレベータ乗りかごの外周面との間に前記ノズルから噴き出す乾燥空気が流れる流路を形成するカバーを更に備えることを特徴とする請求項１ないし６のいずれか一記載のエレベータ乗りかごの結露防止装置。
【請求項８】
前記請求項１ないし７のいずれか一記載のエレベータ乗りかごの結露防止装置を備えることを特徴とするエレベータ。
【発明の詳細な説明】
【技術分野】
【０００１】
本発明は、エレベータ乗りかごの結露防止装置及びエレベータに関し、特に、エレベータ乗りかご内を冷却する冷房装置を備えたエレベータ乗りかごの結露防止装置及びこのエレベータ乗りかごの結露防止装置を備えるエレベータに関する。
【背景技術】
【０００２】
例えば、下記特許文献１に記載されているように、エレベータ乗りかごの乗り心地を快適なものとするため、エレベータ乗りかごの上部に冷房装置を設置し、冷房装置からエレベータ乗りかご内に冷却空気を供給するようにしたエレベータ乗りかごが知られている。
【特許文献１】特開平０９−２５０７５号公報
【発明の開示】
【発明が解決しようとする課題】
【０００３】
冷房装置からエレベータ乗りかご内に冷却空気を供給すると、エレベータ乗りかご内の温度とエレベータ乗りかごの外部の温度との間に温度差が発生し、この温度差と、エレベータ乗りかごの外部の湿度とが或る数値に到達すると、エレベータ乗りかごの外周面に結露が発生する。
【０００４】
エレベータ乗りかごの外周面に結露が発生すると、発生した結露によりエレベータ乗りかごの外周面の金属部分が錆び易くなる。また、発生した結露が水滴となって流れ落ち、流れ落ちた水滴が電気系統の機器に付着することによりその機器が故障を起こす場合がある。
【０００５】
エレベータ乗りかごの外周面に結露が発生することを防止するためには、エレベータ乗りかごの外壁板に断熱材を貼り付けることが考えられる。しかし、断熱材の貼り付けが部分的に不完全な場合や、貼り付けに使用した接着剤の劣化などにより断熱材が剥がれる場合がある。すると、断熱材の貼り付けが不完全な部分や断熱材が剥がれた部分に対応する外壁板の外面に結露が発生する。
【０００６】
本発明はこのような課題を解決するためになされたもので、その目的は、エレベータ乗りかご内を冷却した場合においてエレベータ乗りかごの外周面に結露が発生することを防止するエレベータ乗りかごの結露防止装置及びこのエレベータ乗りかごの結露防止装置を備えるエレベータを提供することである。
【課題を解決するための手段】
【０００７】
本発明の実施の形態に係る第１の特徴は、エレベータ乗りかごの結露防止装置において、エレベータ乗りかごに取付けられる乾燥空気供給部と、前記エレベータ乗りかごに取付けられて前記乾燥空気供給部に接続され、前記乾燥空気供給部から供給される乾燥空気が前記エレベータ乗りかごの外周面に向けて噴き出すノズルを有するノズル体と、を備えることである。
【０００８】
本発明の実施の形態に係る第２の特徴は、エレベータにおいて、第１の特徴に係るエレベータ乗りかごの結露防止装置を備えることである。
【発明の効果】
【０００９】
本発明によれば、エレベータ乗りかごの外周面に結露が発生することを確実に防止することができる。
【発明を実施するための最良の形態】
【００１０】
以下、本発明の実施の形態を図面を用いて説明する。
【００１１】
（第１の実施の形態）
本発明の第１の実施の形態に係るエレベータ乗りかごの結露防止装置は、図１に示すように、エレベータ乗りかご１に取付けられる乾燥空気供給部２と、エレベータ乗りかご１に取付けられて乾燥空気供給部２に接続される複数のノズル体３とを備えている。このエレベータ乗りかごの結露防止装置を備えるエレベータは、エレベータ乗りかご１と、エレベータ乗りかご１を吊り下げているロープを巻き上げる巻上機と、ロープの他端側に吊り下げられてエレベータ乗りかご１と逆方向に昇降されるつり合いおもりとを備えている。
【００１２】
エレベータ乗りかご１は、６面体形状の箱型に形成されたかご本体部４と、かご枠５とを備えている。かご本体部４は、上下方向で対向する天井板６と床板（図示せず）とを有し、天井板６と床板との間の４面のうちの３面が側板７により囲まれ、天井板６と床板との間の残りの１面にドア（図示せず）が設けられている。かご枠５は、対向する２面の側板７を挟む位置に配置された一対の立枠８と、一対の立枠８の上端部に連結されて天井板６と平行に配置された上梁９と、一対の立枠８の下端部と床板の下面とに連結された下梁（図示せず）とにより形成されている。上梁９には、エレベータ乗りかご１を昇降させるためのロープ（図示せず）が巻き掛けられる乗りかごシーブ（図示せず）と、かご本体部４内に冷却空気を供給するための冷房装置（図示せず）とが取付けられている。
【００１３】
乾燥空気供給部２は、外部から吸入した空気を除湿することにより含有水分の少ない乾燥した空気（以下、乾燥空気という。）を生成し、生成した乾燥空気を供給する部分であり、送風ファン（図示せず）、ゼオライト又はシリカゲルにより形成されたデシカントロータ（図示せず）、ヒータ等を備えている。上梁９に取付アーム１０が連結され、この取付アーム１０に乾燥空気供給部２が連結されている。
【００１４】
ノズル体３は、かご本体部４の上下方向の長さ寸法と略同じ長さ寸法を有する長尺の角筒形状に形成され、長手方向を上下方向に向けて側板７の外面に取付けられている。ノズル体３の上端部には、乾燥空気供給部２において生成された乾燥空気が供給される供給ホース１１が接続されている。ノズル体３には、供給された乾燥空気をエレベータ乗りかご１の外周面の一部である側板７の外面に向けて噴き出す複数のノズル１２が形成されている。ノズル１２は、ノズル体３の長手方向に沿って等間隔に形成され、さらに、各ノズル１２の開口面積は下方に位置するノズル１２ほど大きく形成されている。図１中において示した矢印は、乾燥空気供給部２からノズル体３に供給される乾燥空気の流れ、及び、ノズル１２から噴き出す乾燥空気の流れである。ノズル１２からの乾燥空気の噴き出し方向は、側板７の外面に沿った方向であって、エレベータ乗りかご１の昇降方向と直交する方向とされている。
【００１５】
かご本体部４の内部には、冷房装置と乾燥空気供給部２とを駆動させる操作盤（図示せず）が設けられている。この操作盤上で設定操作を行うことにより、冷房装置のオン・オフ切替操作、強弱切替操作、及び、乾燥空気供給部２のオン・オフ切替操作、強弱切替操作を行うことができる。
【００１６】
このような構成において、操作盤上での操作を行い、冷房装置をオンにすると、冷房装置において生成された冷却空気がかご本体部４内に供給される。かご本体部４内に冷却空気が供給されることにより、かご本体部４内の温度とかご本体部４の外部の温度との間に温度差が発生し、この温度差と、昇降路内の湿度とが或る数値に到達すると、側板７の外面に結露が発生する。側板７の外面の結露は、かご本体部４の内外の温度差が大きくほど、及び、昇降路内の湿度が高いほど発生しやすい。
【００１７】
そこで、冷房装置をオンにした場合には、必要に応じて操作盤上での操作を行い、乾燥空気供給部２をオンにする。乾燥空気供給部２をオンにすることにより、乾燥空気供給部２において乾燥空気が生成され、生成された乾燥空気が供給ホース１１を経由してノズル体３に供給される。ノズル体３に供給された乾燥空気は各ノズル１２から噴き出す。ノズル１２から噴き出す乾燥空気は側板７の外面に沿って噴き出すので、側板７の外面に接する空気層の湿度が下がり、側板７の外面における結露の発生が防止される。
【００１８】
ここで、各ノズル体３に形成されている複数のノズル１２の開口面積は、ノズル体３の下方に位置するノズル１２ほど、つまり、供給ホース１１が接続された位置から離れているノズル１２ほど大きく形成されている。これにより、各ノズル１２から噴き出す乾燥空気の噴き出し量を均一にすることができ、側板７の上下方向の全域において結露発生を防止することができる。
【００１９】
また、ノズル１２から噴き出す乾燥空気は、側板７の外面に沿ってエレベータ乗りかご１の昇降方向と直交する水平方向に噴き出すので、噴き出した乾燥空気を側板７の水平方向の全域に到達させることができ、側板７の水平方向の全域において結露発生を防止することができる。
【００２０】
なお、第１の実施の形態では、乾燥空気を噴き出す領域を側板７の外面とした場合を例に挙げて説明したが、これは、側板７が、天井板６の上面や床板の下面に比べてかご本体部４内の熱が伝わり易く結露が発生し易いためである。天井板６の上面や床板の下面もエレベータ乗りかご１の外周面の一部であり、これらの部分に結露が発生し易い場合には、これらの部分にもノズル体３を取付ける。以下の各実施の形態でも同じである。
【００２１】
（第２の実施の形態）
本発明の第２の実施の形態に係るエレベータ乗りかごの結露防止装置について、図２ないし図４に基づいて説明する。なお、第２の実施の形態及びこれ以降の実施の形態において、既に説明した実施の形態における構成要素と同じ構成要素には同じ符号を付し、重複する説明は省略する。
【００２２】
第２の実施の形態に係るエレベータ乗りかごの結露防止装置は、エレベータ乗りかご１の外周面の温度である側板７の外面温度を測定する温度センサ１３と、エレベータ乗りかご１が昇降する昇降路（図示せず）内の湿度を測定する湿度センサ１４とが側板７の外面に取付けられている。
【００２３】
温度センサ１３と湿度センサ１４とは、図３に示すように、乾燥空気供給部２を制御する制御部１５に接続されている。制御部１５は、温度センサ１３の測定結果である温度データと湿度センサ１４の測定結果である湿度データとを記憶するＲＡＭと、制御プログラムを格納したＲＯＭと、ＲＡＭに記憶された温度データと湿度データとを用いて結露発生条件に到達したか否かを演算するＣＰＵとを有し、演算結果に応じた信号を乾燥空気供給部２に出力する。
【００２４】
乾燥空気供給部２の駆動は、図４に示すように制御部１５により行われる。まず、温度センサ１３の測定結果が制御部１５に入力され（Ｓ１）、ついで、湿度センサ１４の測定結果が制御部１５に入力される（Ｓ２）。なお、温度センサ１３の測定結果と湿度センサ１４の測定結果の入力順は、湿度センサ１４の測定結果の入力が先であってもよい。
【００２５】
温度センサ１３の測定結果と湿度センサ１４の測定結果とが入力されると、入力された２つの測定結果に基づき、側板７の外面が結露発生条件に到達したか否かが判断され（Ｓ３）、ここに、結露発生条件に到達したか否かを判断する手段が実行される。結露発生条件に到達しないと判断された場合は（Ｓ３のＮＯ）、新たに入力される温度センサ１３の測定結果と湿度センサ１４の測定結果に基づいて結露発生条件に到達したか否かが再度判断される。
【００２６】
ステップＳ３の判断において、結露発生条件に到達したと判断された場合は（Ｓ３のＹＥＳ）、乾燥空気供給部２に対して駆動信号が出力され（Ｓ４）、ここに、乾燥空気供給部２を駆動させる手段が実行される。
【００２７】
乾燥空気供給部２に対して駆動信号が出力されることにより、乾燥空気供給部２が駆動され、乾燥空気供給部２において乾燥空気が生成される。生成された乾燥空気は供給ホース１１を経由してノズル体３に供給され、ノズル体３の各ノズル１２から噴き出す。ノズル１２から噴き出す乾燥空気は側板７の外面に沿って噴き出すので、側板７の外面に接する空気層の湿度が下がり、側板７の外面における結露の発生が防止される。
【００２８】
このような構成において、第２の実施の形態に係るエレベータ乗りかごの結露防止装置によれば、温度センサ１３の測定結果と湿度センサ１４の測定結果とに基づき、側板７の外面が結露発生条件に到達した否かを判断し、結露発生条件に到達した場合に自動的に乾燥空気供給部２を駆動させている。
【００２９】
このため、側板７の外面が結露発生条件に到達していないにも係わらず乾燥空気供給部２を駆動するということがなくなり、消費電力を低減させることができる。
【００３０】
また、側板７の外面が結露発生条件に到達しているにも係わらず乾燥空気供給部２を駆動しないということがなくなり、結露の発生を確実に防止することができる。
【００３１】
（第３の実施の形態）
本発明の第３の実施の形態に係るエレベータ乗りかごの結露防止装置について、図５ないし図７に基づいて説明する。
【００３２】
第３の実施の形態に係るエレベータ乗りかごの結露防止装置は、３面の側板７の外面にそれぞれ各側板７の外面温度を測定する温度センサ１３ａが取付けられ、一つの側板７の外面にエレベータ乗りかご１が昇降する昇降路（図示せず）内の湿度を測定する湿度センサ１４が取付けられている。
【００３３】
乾燥空気供給部２から各ノズル体３に乾燥空気を供給する各供給ホース１１には、各ノズル体３ごとにノズル１２からの乾燥空気の噴き出しを断続する断続部である電磁弁１６が設けられている。
【００３４】
３つの温度センサ１３ａと湿度センサ１４とは、図６に示すように、乾燥空気供給部２と電磁弁１６とを制御する制御部１５ａに接続されている。制御部１５ａは、温度センサ１３ａの測定結果である温度データと湿度センサ１４の測定結果である湿度データとを記憶するＲＡＭと、制御プログラムを格納したＲＯＭと、ＲＡＭに記憶された温度データと湿度データとを用いてどの側板７の外面が結露発生条件に到達したか否かを演算するＣＰＵとを有し、演算結果に応じた信号を乾燥空気供給部２と電磁弁１６とに出力する。
【００３５】
乾燥空気供給部２と電磁弁１６との駆動は、図７に示すように制御部１５ａにより行われる。まず、温度センサ１３ａの測定結果が制御部１５に入力され（Ｓ１１）、ついで、湿度センサ１４の測定結果が制御部１５ａに入力される（Ｓ１２）。なお、温度センサ１３ａの測定結果と湿度センサ１４の測定結果の入力順は、湿度センサ１４の測定結果の入力が先であってもよい。
【００３６】
温度センサ１３ａの測定結果と湿度センサ１４の測定結果とが入力されると、入力された２種類の測定結果に基づき、各側板７の外面が結露発生条件に到達したか否かが判断され（Ｓ１３）、ここに、各側板７ごとに結露発生条件に到達したか否かを判断する手段が実行される。全ての側板７の外面が結露発生条件に到達しないと判断された場合は（Ｓ１３のＮＯ）、新たに入力される温度センサ１３ａの測定結果と湿度センサ１４の測定結果に基づいて各側板７ごとに結露発生条件に到達したか否かが再度判断される。
【００３７】
ステップＳ１３の判断において、結露発生条件に到達したと判断された側板７がある場合は（Ｓ１３のＹＥＳ）、乾燥空気供給部２に対して駆動信号が出力され（Ｓ１４）、ここに、乾燥空気供給部２を駆動させる手段が実行される。
【００３８】
さらに、結露発生条件に到達した側板７に対して乾燥空気を噴き出すノズル体３に接続されている供給ホース１１の電磁弁１６に対して開弁信号が出力され（Ｓ１５）、ここに、断続部である電磁弁１６を駆動させる手段が実行される。
【００３９】
乾燥空気供給部２に対して駆動信号が出力されることにより、乾燥空気供給部２が駆動され、乾燥空気供給部２において乾燥空気が生成される。また、電磁弁１６に対して開弁信号が出力されることにより、乾燥空気供給部２において生成された乾燥空気が供給ホース１１を経由してノズル体３に供給され、供給されたノズル体３の各ノズル１２から噴き出す。ノズル１２から噴き出す乾燥空気は側板７の外面に沿って噴き出すので、側板７の外面に接する空気層の湿度が下がり、側板７の外面における結露の発生が防止される。
【００４０】
このような構成において、第３の実施の形態に係るエレベータ乗りかごの結露防止装置によれば、温度センサ１３ａの測定結果と湿度センサ１４の測定結果とに基づき、各側板７ごとに側板７の外面が結露発生条件に到達した否かを判断し、結露発生条件に到達した側板７の外面に対してのみ乾燥空気を噴き出す。
【００４１】
このため、結露発生条件に到達した側板７が１面又は２面である場合には、それらの側板７の外面に対してのみ乾燥空気を噴き出せばよく、全ての側板７の外面に対して乾燥空気を噴き出す場合に比べて乾燥空気の噴き出し量を少なくすることができる。このため、乾燥空気を生成する乾燥空気供給部２の出力を下げることができ、消費電力の低減を図ることができる。
【００４２】
また、３つの側板７について個々に結露発生条件に到達したか否かを判断することにより、一つの側板７が結露発生条件に到達したことを検知できないでしまうという事態の発生を防止することができ、結露発生を確実に防止することができる。
【００４３】
なお、第３の実施の形態では、温度センサ１３ａを各側板７ごとに設け、各側板７ごとに結露発生条件に到達したか否かを判断する場合を例に挙げて説明したが、各側板７ごとに２以上の温度センサを取り付け、各側板７ごとに複数の領域に分割して結露発生条件に到達したか否かを判断してもよい。
【００４４】
（第４の実施の形態）
本発明の第４の実施の形態に係るエレベータ乗りかごの結露防止装置について、図８ないし図１０に基づいて説明する。
【００４５】
第４の実施の形態に係るエレベータ乗りかごの結露防止装置は、乾燥空気供給部２から乾燥空気が供給されるノズル体３ａが、かご本体部４の上下方向の長さ寸法より短く（例えば、かご本体部４の上下方向の長さ寸法の１／２ないし１／４）に形成されている。側板７の外面には上下方向に延出する複数のレール１７が連結され、各レール１７にはそれぞれノズル体３ａが取り付けられている。レール１７に対するノズル体３ａの取り付けは、ノズル体３ａがレール１７から外れることなく、ノズル体３ａが移動機構（図示せず）によりレール１７に沿って上下動可能に取り付けられている。
【００４６】
移動機構は、レール１７に沿ってレール１７と平行に設けられたラック（図示せず）と、ラックにかみ合うピニオン（図示せず）と、ノズル体３ａに取り付けられて回転軸がピニオンに連結されたモータ１９とにより構成されている。
【００４７】
各側板７の外面に各側板７の外面温度を測定する複数の温度センサ１３ｂが上下方向（ノズル体３ａの移動方向）に沿って取付けられ、一つの側板７の外面にエレベータ乗りかご１が昇降する昇降路（図示せず）内の湿度を測定する湿度センサ１４が取付けられている。
【００４８】
乾燥空気供給部２から各ノズル体３ａに乾燥空気を供給する各供給ホース１１には、各ノズル体３ａごとにノズル１２からの乾燥空気の噴き出しを断続する断続部である電磁弁１６が設けられている。
【００４９】
複数の温度センサ１３ｂと湿度センサ１４とは、図９に示すように、乾燥空気供給部２と電磁弁１６とモータ１９とを制御する制御部１５ｂに接続されている。制御部１５ｂは、温度センサ１３ｂの測定結果である温度データと湿度センサ１４の測定結果である湿度データとを記憶するＲＡＭと、制御プログラムを格納したＲＯＭと、ＲＡＭに記憶された温度データと湿度データとを用いてどの側板７の外面における上下方向のどの位置が結露発生条件に到達したか否かを演算するＣＰＵとを有し、演算結果に応じた信号を乾燥空気供給部２と電磁弁１６とモータ１９とに出力する。
【００５０】
乾燥空気供給部２と電磁弁１６とモータ１９との駆動は、図１０に示すように制御部１５ｂにより行われる。まず、温度センサ１３ｂの測定結果が制御部１５ｂに入力され（Ｓ２１）、ついで、湿度センサ１４の測定結果が制御部１５ｂに入力される（Ｓ２２）。なお、温度センサ１３ｂの測定結果と湿度センサ１４の測定結果の入力順は、湿度センサ１４の測定結果の入力が先であってもよい。
【００５１】
温度センサ１３ｂの測定結果と湿度センサ１４の測定結果とが入力されると、入力された２種類の測定結果に基づき、各側板７の外面の上下方向の各領域が結露発生条件に到達したか否かが判断され（Ｓ２３）、ここに、各側板７の外面の各領域ごとに結露発生条件に到達したか否かを判断する手段が実行される。全ての側板７の外面の全ての領域が結露発生条件に到達しないと判断された場合は（Ｓ２３のＮＯ）、新たに入力される温度センサ１３ｂの測定結果と湿度センサ１４の測定結果に基づいて各側板７の外面の各領域ごとに結露発生条件に到達したか否かが再度判断される。
【００５２】
ステップＳ２３の判断において、いずれかの側板７の外面の或る領域が結露発生条件に到達したと判断された場合は（Ｓ２３のＹＥＳ）、乾燥空気供給部２に対して駆動信号が出力され（Ｓ２４）、ここに、乾燥空気供給部２を駆動させる手段が実行される。
【００５３】
さらに、結露発生条件に到達した領域に移動可能なノズル体３ａに取り付けられているモータ１９に対し、そのノズル体３ａを結露発生条件に到達した領域に移動させる移動信号が出力され（Ｓ２５）、ここに、ノズル体３ａを結露発生条件に到達した領域に移動させる手段が実行される。
【００５４】
さらに、結露発生条件に到達した領域に移動したノズル体３ａに接続されている供給ホース１１の電磁弁１６に対して開弁信号が出力され（Ｓ２６）、ここに、断続部である電磁弁１６を駆動させる手段が実行される。
【００５５】
乾燥空気供給部２に対して駆動信号が出力されることにより、乾燥空気供給部２が駆動され、乾燥空気供給部２において乾燥空気が生成される。また、モータ１９に対して駆動信号が出力されることにより、そのモータ１９により駆動されるノズル体３ａが結露発生条件に到達した領域に移動する。さらに、電磁弁１６に対して開弁信号が出力されることにより、乾燥空気供給部２において生成された乾燥空気が供給ホース１１を経由してノズル体３ａに供給され、供給されたノズル体３ａの各ノズル１２から噴き出す。ノズル１２から噴き出す乾燥空気は側板７の外面に沿って噴き出すので、側板７の外面に接する空気層の湿度が下がり、側板７の外面における結露の発生が防止される。
【００５６】
このような構成において、第４の実施の形態に係るエレベータ乗りかごの結露防止装置によれば、温度センサ１３ｂの測定結果と湿度センサ１４の測定結果とに基づき、各側板７の外面の上下方向に沿った複数の領域ごとに結露発生条件に到達した否かを判断し、結露発生条件に到達した領域に向けてノズル体３ａを移動させ、移動したノズル体３ａのノズル１２から結露発生条件に到達した領域に対してのみ乾燥空気を噴き出す。
【００５７】
このため、或る側板７の一部分の領域のみが結露発生条件に到達した場合には、その領域のみに乾燥空気を噴き出せばよく、結露発生条件に到達した領域がある側板７の全体に乾燥空気を噴き出す場合に比べて乾燥空気の噴き出し量を少なくすることができる。このため、乾燥空気を生成する乾燥空気供給部２の出力を下げることができ、消費電力の低減を図ることができる。
【００５８】
また、各側板７について複数の領域で結露発生条件に到達したか否かを判断することにより、或る側板７における一部の領域が結露発生条件に到達したことを検知できないでしまうという事態の発生を防止することができ、結露発生を確実に防止することができる。
【００５９】
（第５の実施の形態）
本発明の第５の実施の形態に係るエレベータ乗りかごの結露防止装置について、図１１ないし図１３に基づいて説明する。
【００６０】
第５の実施の形態に係るエレベータ乗りかごの結露防止装置は、ノズル１２からの乾燥空気の噴き出し方向を上下方向に可変させる可変機構２０が各ノズル体３に設けられている。可変機構２０は、各ノズル１２に対向する位置に設けられて支点２１を中心に上下方向回動可能な複数の案内板２２と、全ての案内板２２に連結されて上下方向に延出するワイヤ２３と、ワイヤ２３の一端に連結されてワイヤ２３を上下動させるモータ２４とにより構成されている。モータ２４は、エレベータ乗りかご１の昇降動作に連動して駆動される。
【００６１】
図１１は、エレベータ乗りかご１の上昇時を示している。エレベータ乗りかご１の上昇時には、図示しない制御部によりモータ２４が駆動され、可変機構２０を駆動させる手段が実行されることによりワイヤ２３が下方位置に移動する。ワイヤ２３が下方位置に移動することにより、各案内板２２が支点２１を中心として下方へ回動し、各案内板２２はノズル１２に向けて上方向きに傾いた姿勢となる。これにより、ノズル体３内に供給された乾燥空気は、矢印で示すように案内板２２に案内されて流れ、ノズル１２から斜め上方向きに噴き出す。そして、ノズル１２から噴き出す乾燥空気が斜め上方向きとなり、及び、エレベータ乗りかご１が上方へ移動することにより、ノズル１２から噴き出した乾燥空気が側板７の外面に沿って水平方向に広がる。したがって、ノズル１２から噴き出した乾燥空気を側板７の水平方向の全域に到達させることができ、側板７の水平方向の全域において結露発生を防止することができる。
【００６２】
図１２は、エレベータ乗りかご１の下降時を示している。エレベータ乗りかご１の下降時には、図示しない制御部によりモータ２４が駆動され、可変機構２０を駆動させる手段が実行されることによりワイヤ２３が上方位置に移動する。ワイヤ２３が上方位置に移動することにより、各案内板２２が支点２１を中心として上方へ回動し、各案内板２２はノズル１２に向けて下方向きに傾いた姿勢となる。これにより、ノズル体３内に供給された乾燥空気は、矢印で示すように案内板２２に案内されて流れ、ノズル１２から斜め下方向きに噴き出す。そして、ノズル１２から噴き出す乾燥空気が斜め下方向きとなり、及び、エレベータ乗りかご１が下方へ移動することにより、ノズル１２から噴き出した乾燥空気が側板７の外面に沿って水平方向に広がる。したがって、ノズル１２から噴き出した乾燥空気を側板７の水平方向の全域に到達させることができ、側板７の水平方向の全域において結露発生を防止することができる。
【００６３】
図１３は、エレベータ乗りかご１の停止時を示している。エレベータ乗りかご１の停止時には、図示しない制御部によりモータ２４が駆動され、可変機構２０を駆動させる手段が実行されることによりワイヤ２３が上下位置の中間位置に移動する。ワイヤ２３が中間位置に移動することにより、各案内板２２はノズル１２に対して水平向きに対向した姿勢となる。これにより、ノズル体３内に供給された乾燥空気は、矢印で示すように案内板２２に案内されて流れ、ノズル１２から水平向きに噴き出し、ノズル１２から噴き出した乾燥空気は側板７の外面に沿って水平方向に広がる。したがって、ノズル１２から噴き出した乾燥空気を側板７の水平方向の全域に到達させることができ、側板７の水平方向の全域において結露発生を防止することができる。
【００６４】
このような構成において、第５の実施の形態に係るエレベータ乗りかごの結露防止装置によれば、エレベータ乗りかご１の停止時のみならず、エレベータ乗りかご１の上昇時と下降時とにおいてもノズル１２から噴き出す乾燥空気を側板７の外面に沿って水平方向の全域に広げることができる。したがって、エレベータ乗りかご１が連続して運転される状況下においても、側板７の水平方向の全域において結露発生を防止することができる。
【００６５】
（第６の実施の形態）
本発明の第６の実施の形態に係るエレベータ乗りかごの結露防止装置について、図１４に基づいて説明する。
【００６６】
第６の実施の形態に係るエレベータ乗りかごの結露防止装置は、エレベータ乗りかご１の側板７との間にノズル１２から噴き出す乾燥空気が流れる流路２５を形成するカバー２６が、エレベータ乗りかご１に取り付けられている。カバー２６の材質としては様々なものを用いることができるが、軽量化が容易な合成樹脂板が好適である。
【００６７】
このような構成において、ノズル１２から噴き出した乾燥空気は、流路２５内に滞留し、側板７から離反して昇降路内に拡散されるまでの時間が長くなる。これにより、ノズル１２から噴き出す乾燥空気の量を減らしても側板７の外面に接する空気層の湿度を効率良く下げることができ、乾燥空気供給部２を駆動するための消費電力を低減させることができ、しかも、結露発生を確実に防止することができる。
【図面の簡単な説明】
【００６８】
【図１】本発明の第１の実施の形態に係るエレベータ乗りかごの結露防止装置を示す斜視図である。
【図２】本発明の第２の実施の形態に係るエレベータ乗りかごの結露防止装置を示す斜視図である。
【図３】そのエレベータ乗りかごの結露防止装置の電気的接続を示すブロック図である。
【図４】そのエレベータ乗りかごの結露防止装置の制御動作を示すフローチャートである。
【図５】本発明の第３の実施の形態に係るエレベータ乗りかごの結露防止装置を示す斜視図である。
【図６】そのエレベータ乗りかごの結露防止装置の電気的接続を示すブロック図である。
【図７】そのエレベータ乗りかごの結露防止装置の制御動作を示すフローチャートである。
【図８】本発明の第４の実施の形態に係るエレベータ乗りかごの結露防止装置を示す斜視図である。
【図９】そのエレベータ乗りかごの結露防止装置の電気的接続を示すブロック図である。
【図１０】そのエレベータ乗りかごの結露防止装置の制御動作を示すフローチャートである。
【図１１】本発明の第５の実施の形態に係るエレベータ乗りかごの結露防止装置におけるエレベータ乗りかごの上昇時の状態を示す縦断正面図である。
【図１２】そのエレベータ乗りかごの結露防止装置におけるエレベータ乗りかごの下降時の状態を示す縦断正面図である。
【図１３】そのエレベータ乗りかごの結露防止装置におけるエレベータ乗りかごの停止時の状態を示す縦断正面図である。
【図１４】本発明の第６の実施の形態に係るエレベータ乗りかごの結露防止装置を示す斜視図である。
【符号の説明】
【００６９】
１      エレベータ乗りかご
２      乾燥空気供給部
３      ノズル体
３ａ    ノズル体
１２      ノズル
１３      温度センサ
１３ａ    温度センサ
１３ｂ    温度センサ
１４      湿度センサ
１６      断続部
２０      可変機構
２６      カバー
【図１】
2007062905.tif 000003
【図２】
2007062905.tif 000004
【図３】
2007062905.tif 000005
【図４】
2007062905.tif 000006
【図５】
2007062905.tif 000007
【図６】
2007062905.tif 000008
【図７】
2007062905.tif 000009
【図８】
2007062905.tif 000010
【図９】
2007062905.tif 000011
【図１０】
2007062905.tif 000012
【図１１】
2007062905.tif 000013
【図１２】
2007062905.tif 000014
【図１３】
2007062905.tif 000015
【図１４】
2007062905.tif 000016